(57)【要約】【課題】環状部材を回転操作したときに適度な操作感を感じることができると共に防滴効果を発揮でき、しかも製造が容易なレンズ鏡筒の防滴構造を提供する。【解決手段】互いに同軸をなしながら相対回転可能な複数の環状部材を具備するレンズ鏡筒において、相対回転する内側及び外側の環状部材の光軸方向端部近傍に、前記環状部材の環状の隙間を塞ぐシーリング部材を設け、前記内側の環状部材に、前記シーリング部材よりも軸方向外側位置に前記シーリング部材に沿った排水溝を設けた。【選択図】図１
2010197451.tif 000002
【特許請求の範囲】
【請求項１】
互いに同軸をなしながら相対回転可能な複数の環状部材を具備するレンズ鏡筒において、
相対回転する内側及び外側の環状部材の光軸方向端部近傍に、前記環状部材の環状の隙間を塞ぐシーリング部材を設け、一方の環状部材と摺接可能に他方の環状部材に固定し、
前記内側の環状部材に、前記シーリング部材よりも軸方向外側位置に前記シーリング部材に沿った一本以上の排水溝を設けたこと、を特徴とするレンズ鏡筒の防滴構造。
【請求項２】
請求項１記載のレンズ鏡筒の防滴構造において、前記排水溝は複数箇所に設けられていて、１本または全ての排水溝の深さに差があるレンズ鏡筒の防滴構造。
【請求項３】
請求項１または２記載のレンズ鏡筒の防滴構造において、前記排水溝は、前記内側の環状部材外周面に突設した複数の堤部の間に形成されているレンズ鏡筒の防滴構造。
【請求項４】
請求項１乃至３のいずれか一項記載のレンズ鏡筒の防滴構造において、前記外側の環状部材には、上記排水溝の上方まで張り出して前記排水溝を覆う庇部を備えているレンズ鏡筒の防滴構造。
【請求項５】
請求項４記載のレンズ鏡筒の防滴構造において、前記庇部は、前記排水溝と対向する面が、先端部に向かって排水溝の底との間隔又は隙間が広がる方向に傾斜しているレンズ鏡筒の防滴構造。
【請求項６】
請求項１乃至５のいずれか一項記載のレンズ鏡筒の防滴構造において、前記排水溝は、レンズ鏡筒正位置において上部の方が深く、下部の方が浅くなるように形成されているレンズ鏡筒の防滴構造。
【請求項７】
請求項１乃至６のいずれか一項記載のレンズ鏡筒の防滴構造において、前記シーリング部材は、内側の環状部材の外周面に固定され、外側の環状部材の内周面と摺接するように形成されているレンズ鏡筒の防滴構造。
【発明の詳細な説明】
【技術分野】
【０００１】
本発明は、レンズ鏡筒の環状部材間の防滴構造に関する。
【背景技術】
【０００２】
レンズ鏡筒は一般的に、互いに同心をなし光軸に沿って相対回転可能あるいは光軸回りに相対移動可能な複数の環状部材を具備している。これら環状部材の一つをズーム操作環あるいはマニュアルフォーカス環とし、このズーム操作環あるいはマニュアルフォーカス環の手動による回転操作により他の環状部材を光軸に沿って進退させる場合に、隣り合う（径方向に重なり合う）環状部材間に意図的に摩擦抵抗を発生させることにより、ズーム操作環あるいはマニュアルフォーカス環の手動操作時に撮影者が適度な抵抗感を感じられるようにすることが従来より行われている。
このような抵抗感を出すための手段の一例として、一方の面全体に細かな毛が植毛された環状の合成皮革の他方の面を環状部材の外周面または内周面に固着し、合成皮革の一方の面（植毛面）を隣り合う他の環状部材の内周面または外周面に摺動可能に接触させることが行われていた。
【０００３】
しかし、このように合成皮革を利用した場合は、撮影者が適度な抵抗感を感じられるようにはなるものの、隣り合う環状部材の隙間からレンズ鏡筒内に水滴や埃等が侵入するのを防止する（防滴効果を発揮する）のが難しくなる。
【０００４】
防滴効果を発揮しつつズーム操作環あるいはマニュアルフォーカス環の手動操作時に撮影者が抵抗感を感じられるようにしたレンズ鏡筒としては例えば特許文献１、２に開示されたものがある。
特許文献１のレンズ鏡筒では、前側外装環の外周面の後端部と、前側外装環の直後に位置し前側外装環に対して光軸回りに相対回転可能（光軸方向への相対移動は不能）なマニュアルリングの内周面の前端部との間にプラスチックシートや塩化ビニルシートからなる環状のワッシャを挿入し、かつマニュアルリングの後端部の外周面と、マニュアルリングの直後に位置する後側外装環の内周面の前端部との間にプラスチックシートや塩化ビニルシートからなる環状のワッシャを挿入している。さらに、前側外装環の外周面の後端部とマニュアルリングの内周面の前端部の間にワッシャの直後に位置する態様で撥水材を充填し、かつマニュアルリングの外周面の後端部と後側外装環の内周面の前端部の間にワッシャの直前に位置する態様で撥水材を充填している。
【０００５】
このような構造の特許文献１のレンズ鏡筒では、ワッシャ及び前後の撥水材が防滴効果を発揮するので、レンズ鏡筒外部の水滴や埃がレンズ鏡筒内に侵入するのが防止される。さらに、前側外装環とマニュアルリングの間にワッシャが挟まれ、かつマニュアルリングと後側外装環の間にワッシャが挟まれているので、撮影者がマニュアルリングを回転操作したときに撮影者は抵抗感を感じることができる。
【０００６】
特許文献２に記載のレンズ鏡筒では、フォーカス操作環の光軸方向端面に同心円状の溝部が設けられ、さらに該溝部には粘性を有するグリス（撥水材または油脂）が充填され、また外装環の該フォーカス操作環と向きあう光軸方向端面に該フォーカス操作環に設けられた溝部に緩挿される同心円状の凸円環部が設けられている。
【０００７】
特許文献２ではこのような構造により、外装環とフォーカス操作環の間はグリスで遮閉され、外部からの水滴や塵等の進入を防ぐことを可能としており、また粘性によりグリスの種類を選択することでフォーカス操作環の作動トルク（抵抗感）を変更することも可能であるとされている。
【先行技術文献】
【特許文献】
【０００８】
【特許文献１】特開２０００−２２７５３４号公報
【特許文献２】特開２００３−２０２４８１号公報
【発明の概要】
【発明が解決しようとする課題】
【０００９】
しかしながら、特許文献１のレンズ鏡筒は、比較的硬質の材料であるプラスチックシートや塩化ビニルシートを利用して環状のワッシャを成形しているので、合成皮革を利用した場合のような抵抗感を出すのが難しい。特に、環状部材が光軸方向へスライドしながら光軸回りに回転する場合は、環状部材が光軸方向へスライドのみする場合や光軸回りに回転のみする場合に比べて、合成皮革を利用したときのような抵抗感を出すのが一層難しい。さらに、ワッシャをプラスチックシートや塩化ビニルシートによって成形しているので、ワッシャの表面に微小な凹凸が存在すると、この凹凸の影響によりマニュアルリングの回転操作が不円滑になるおそれがある。このようにワッシャは設計形状通りに精度良く成形する必要があるが、プラスチックシートや塩化ビニルシートによってワッシャを精度良く成形するのは容易でない。
【００１０】
特許文献２のレンズ鏡筒は、外装環とフォーカス操作環の光軸方向端面に形成した凸円環部、溝部に充填したグリスとによって防滴しているので、外装環及びフォーカス操作環の径が同一でなければ適用できなかった。
【００１１】
さらに特許文献２は、二本の鏡筒で遮光部材を挟み込む圧力の強さによって抵抗（作動トルク）が変化するとともに防滴効果が変化する構造なので、抵抗を小さくするために圧力を弱くすると防滴効果が小さくなり過ぎ、逆に圧力を高くして防滴効果を大きくすると抵抗が大きくなり過ぎてしまい、防滴性能と抵抗感の調整が困難という問題があった。
【００１２】
本発明は、環状部材を回転操作したときに適度な操作感を感じることができると共に防滴効果を発揮でき、しかも製造が容易なレンズ鏡筒の防滴構造を提供することを目的とする。
【課題を解決するための手段】
【００１３】
上記の課題を解決する本発明は、互いに同軸をなしながら相対回転可能な複数の環状部材を具備するレンズ鏡筒において、相対回転する内側及び外側の環状部材の光軸方向端部近傍に、前記環状部材の環状の隙間を塞ぐシーリング部材を設け、一方の環状部材と摺接可能に他方の環状部材に固定し、前記内側の環状部材に、前記シーリング部材よりも軸方向外側位置に前記シーリング部材に沿った一本以上の排水溝を設けたこと、に特徴を有する。
【００１４】
前記排水溝は複数箇所に設けられていている場合は、１本または全ての排水溝の深さに差を設けてもよい。好ましくは、被写体側ほど深く、カメラボディ側ほど浅くする。レンズ鏡筒先端部ほど水滴等がかぶり易く、または水滴等が浸入しやすいので、効果的な防滴性能が得られる。
【００１５】
前記排水溝は、前記内側の環状部材外周面に突設した複数の堤部の間に形成することが実際的である。複数の堤部を形成することにより、水滴が内側の環状部材を伝わってシーリング部材まで達し難くなり、防滴効果が向上する。
【００１６】
前記外側の環状部材には、上記排水溝の上方まで張り出した庇部を設けることが好ましい。庇部を設けることで、水滴が排水溝に入り難く、排水溝を越えてリーリング部材まで達し難くなり、防滴効果が高くなる。
庇部は、排水溝をほぼ覆うことができればシーリング部材と反対方向に僅かな隙間があってもよいが、完全に覆う方が好ましい。
さらに庇部は、前記排水溝と対向する面を、先端部に向かって排水溝の底との間隔又は隙間が広がる方向に傾斜させて形成することが好ましい。排水溝に入った水滴が傾斜部から排水溝外に出易くなり、排水能力が高くなる。
【００１７】
排水溝の深さは、レンズ鏡筒正位置において上部の方が深く、下部の方が浅くなるように形成することが好ましい。この構成により、レンズ鏡筒の上部から排水溝に入った水滴は、排水溝に沿って流れ落ちて、浅くなった部分からレンズ鏡筒外に滴下し易くなり、排水能力が高くなる。
【発明の効果】
【００１８】
本発明は、レンズ鏡筒に滴下した水滴は先ず排水溝に入るので、水滴は内側の環状部材を伝わってシーリング部材まで達し難く、高い防滴効果を奏する。また本発明は、シーリング部材による防滴効果への依存度が低いので、シーリング部材による抵抗感を所望に応じて容易に設定できるようになる。
【図面の簡単な説明】
【００１９】
【図１】本発明を適用したズームレンズ鏡筒の実施形態を、光軸を通る面で縦断した断面図である。
【図２】同ズームレンズ鏡筒の至近距離に焦点調節した状態を、光軸を通る面で縦断して光軸より上半分を示した断面図である。
【図３】同ズームレンズ鏡筒のテレ端、ワイド端ズーミング状態を、光軸を通る面で縦断して、光軸より上半分、下半部を示した断面図である。
【図４】同ズームレンズ鏡筒の防滴構造を拡大して示す断面図である。
【図５】同ズームレンズ鏡筒の防滴構造を光軸より上半分を拡大して示す断面図である。
【図６】同ズームレンズ鏡筒の防滴構造を光軸より上半分を拡大して示す断面図である。
【図７】図１の切断線VII-VIIに沿って横断して同ズームレンズ鏡筒の排水溝の形状を示す、横断面図である。
【図８】同ズームレンズ鏡筒の防滴構造において、排水溝の深さをレンズ先端部とマウント部側とで異ならせた実施形態を示す図であって、（Ａ）はレンズ最先端側、（Ｂ）は中間、（Ｃ）はマウント側の防滴構造を拡大して示す断面図である。
【図９】同ズームレンズ鏡筒の防滴構造において、排水溝を２本とした実施形態を拡大して示す断面図である。
【発明を実施するための形態】
【００２０】
以下本発明の実施形態について、添付の図面を参照して詳細に説明する。図１は、本発明を適用したズームレンズ鏡筒の実施形態を、光軸を通る面で縦断した断面図である。
【００２１】
レンズ鏡筒１０は、２つのレンズ群Ｌ１、Ｌ２を具備するレンズ交換式ズームレンズ鏡筒である。各レンズ群Ｌ１、Ｌ２の光軸Ｏを中心とする筒状体である第１固定環１１の後端部には、図示を省略したカメラボディのマウント部に着脱可能なマウント部１２が設けられている。さらに、第１固定環１１の内周側には第１固定環１１と同心をなす筒状体である第２固定環１３が配設されていて、第２固定環１３の後端部は第１固定環１１の後部壁の前面に固定されている。
【００２２】
第１固定環１１及び第２固定環１３の前端部には、第１固定環１１及び第２固定環１３と同心をなす筒状体であるズーム操作環１５が光軸Ｏ回りに回転可能（光軸Ｏ方向のスライドは不能）に設けられている。ズーム操作環１５は、前端部に一体に回動するように連結されたズーム操作環１７を備えている。前後に分割されていて、ズーム操作環１５の前部にズーム操作環１７が一体として回動するように連結されている。これらのズーム操作環１５、１７の外周面にグリップ環１６が固着されている。
【００２３】
第１固定環１１の前端部の外周面には、第１固定環１１と同心をなす筒状体であるフォーカス環１９の後端部が、光軸Ｏ方向の移動が規制された状態で光軸Ｏ回りに回転可能に設けられている。フォーカス環１９の後端部はズーム操作環１５、１７の内周側に位置している。なお、図示しないが、フォーカス環１９の内周面の後端部にはギヤが形成されていて、このギヤは第２固定環１３の外周面の前端部近傍に回転可能に支持された出力ギヤが噛合している。この出力ギヤは、レンズ鏡筒１０がカメラボディに装着されると、カメラボディに内蔵されたギヤ機構を介してカメラボディに内蔵したフォーカス用モータと接続される。
【００２４】
第２固定環１３の外周側には、第２固定環１３と同心をなす筒状体であるカム環２１が配設されている。このカム環２１は、第２固定環１３に対して、光軸Ｏ移動はしないで光軸Ｏ回りを自在に回転するように支持され、さらにズーム連動レバー１８を介してズーム操作環１５と接続されている。従ってズーム操作環１５が回転すると、カム環２１は、光軸Ｏ方向には移動しないで光軸Ｏ回りを回転する。
【００２５】
第２固定環１３は、カム環２１内周側に位置する２群支持枠２３を支持している。２群支持枠２３はバリエータレンズ群である第２レンズ群Ｌ２を支持する部材であり、第２固定環１３に形成された直進案内溝によって直進案内され、カム環２１の内周面に形成されたカム溝にカム接続されている。従って、ズーム操作環１５を介してカム環２１が回転すると、２群支持枠２３は、光軸Ｏ回りには回転せずに、カム環２１のカム溝のリードに従った速度で光軸Ｏに沿って進退移動する。
【００２６】
カム環２１の先端部外周面には、カム環２１と同心をなす筒状体である直進環２５が嵌合している。この直進環２５は、詳細は説明しないが、第２固定環１３に回転しないで光軸Ｏに沿って進退自在に支持されかつカム環２１との間のカム機構によってカム環２１が回転すると回転しないで光軸Ｏに沿って進退動するように接続されている。
【００２７】
直進環２５とフォーカス環１９との間には、これらと同心をなす筒状体である回転繰出し環２７が配置されている。回転繰出し環２７は、詳細は説明しないが、直進環２５とヘリコイド機構により接続され、フォーカス環１９とは光軸Ｏ方向には進退自在に、かつ光軸Ｏ回りには一体回動するように接続されている。従ってカム環２１が回転すると回転繰出し環２７は、カム環２１との間のカム機構によって光軸Ｏに沿って進退動する直進環２５と一緒に、回転しないで進退動する。一方、フォーカス環１９が回転すると、回転繰出し環２７はフォーカス環１９と一体に回転しながら、直進環２５との間のカム機構によって光軸Ｏに沿って進退動する。
【００２８】
第２固定環１３の前端部内には、第１レンズ群Ｌ１を支持する筒状体である１群支持枠２９の後端部が、回転しないで光軸Ｏ方向に直進移動自在に接続されている。第１レンズ群Ｌ１はコンペンセータレンズ及びフォーカシングレンズとして機能する。この１群支持枠２９の先端部の外周は、回転繰出し環２７に対して相対回転自在にかつ光軸Ｏ方向には一緒に移動するように接続されている。従って、フォーカス環１９が回転操作されると、回転繰出し環２７が回転しながら進退動し、この進退動により１群支持枠２９が第１レンズ群Ｌ１を支持して、回転しないで光軸Ｏに沿って進退動する。一方、ズーム操作環１５が回転操作されると、１群支持枠２９は回転を規制された状態で、直進環２５及び回転繰出し環２７により第２固定鏡筒１３及びフォーカス環１９に対して光軸Ｏ方向に進退動する。フォーカス環１９を回転させて回転繰出し環２７、１群支持枠２９及び第１レンズ群Ｌ１を最も前進させた様子を、図２に示した。
【００２９】
ここで、カム環２１が回転して直進環２５が直進するときに回転繰出し環２７は回転せずに進退動し、フォーカス環１９が回転するときに回転繰出し環２７は回転しながら進退動するように形成されている。
【００３０】
なお、カム環２１が回動すると、カム環２１と２群支持枠２３との間のカム機構のリードにより、２群支持枠２３が第２レンズ群Ｌ２を保持して第２固定環１３の直進ガイド溝に沿って回転しないで光軸Ｏに沿って進退動すると共に、１群支持枠２９が第１レンズ群Ｌ１を保持して、直進環２５とカム環２１との間のカム機構により回転しないで進退動して、ズーミングされる（図３（Ａ）、（Ｂ））。
【００３１】
次に、回転繰出し環２７と１群支持枠２９の間、前部ズーム操作環１７とフォーカス環１９の間、及び後部ズーム操作環１５と第１固定環１１との間に設けた防滴構造について、さらに図４乃至図７を参照して説明する。
【００３２】
図４は、回転繰出し環２７及び１群支持枠２９の間の防滴構造を拡大して示す断面図である。回転繰出し環２７の前部内周面と１群支持枠２９の外周面との間に、シーリング部材であるラシャ３１が接着されている。ラシャ３１は環状に形成されていて、１群支持枠２９の外周面に接着し、回転繰出し環２７には摺接自在に接触させてあるが、逆でもよい。又、シーリング部材は、一方の面全体に細かな毛が植毛された環状の合成皮革など、ラシャに限定されない。
【００３３】
１群支持枠２９の外周面には、ラシャ３１よりも鏡筒外方側、ここではラシャ３１の前端面から僅かに離反した位置に、堤部２９ｂ、２９ｃで規制された排水溝２９ａが形成されている。堤部２９ｂ、２９ｃ、つまり排水溝２９ａは１群支持枠２９全周に亘って形成されている。この堤部２９ｂ、２９ｃは、前方の堤部２９ｂの方が高く形成されている。
【００３４】
回転繰出し環２７の前端部には、排水溝２９ａを覆う庇部２７ａが形成されている。庇部２７ａは、後方の堤部２９ｃの外周面を越えて、排水溝２９ａを覆い、前方の堤部２９ｂとの間に僅かな隙間を残す位置まで延びている。さらにこの庇部２７ａには、排水溝２９ａと対向する面に、先端部に向かって排水溝２９ａの底との間隔又は隙間が広がる方向に傾斜したテーパ部２７ａ１が形成されている。
【００３５】
このような庇部２７ａを有する排水溝２９ａがラシャ３１の外側に設けられているので、レンズ鏡筒に降りかかった水滴は、先ず、庇部２７ａと堤部２９ｂとの隙間から排水溝２９ａに浸入するが、排水溝２９ａに浸入した水滴は、排水溝２９ａに沿って重力方向下方に流れ、下方の庇部２７ａと堤部２９ｂとの隙間から排水溝２９ａ外に落ちる。つまり、カメラを正位置に構えた状態で水滴が降りかかると、水滴は排水溝１９ａを伝わってレンズ鏡筒外に落ちる。さらにこの実施形態では、下方の庇部２７ａはテーパ部２７ａ１が排水溝２９ａとの隙間に向かって下がる方向に傾斜しているので、排水能力が高くなる。
【００３６】
図５は、前部のズーム環１７とフォーカス環１９との間の防滴構造を示す拡大断面図である。前部のズーム環１７の前端部内周面とフォーカス環１９の外周面との間に、シーリング部材であるラシャ３３が接着されている。ラシャ３３は、フォーカス環１９の外周面に接着し、前部のズーム環１７の内周面には摺接自在に接触させてあるが、逆でもよい。
【００３７】
フォーカス環１９の外周面には、ラシャ３３よりも前部のズーム環１７の鏡筒外方側、ここではラシャ３３の前端面から僅かに離反した位置に、堤部１９ｂ、１９ｃで規制された排水溝１９ａが形成されている。堤部１９ｂ、１９ｃ、つまり排水溝１９ａはフォーカス環１９全周に亘って形成されている。この堤部１９ｂ、１９ｃは、前方の堤部１９ｂの方が高く形成されている。
前部ズーム環１７の前端部には、排水溝１９ａを覆う庇部１７ａが形成されている。庇部１７ａは、後方の堤部１９ｃの外周面を越えて、排水溝１９ａを覆い、さらに前方の堤部１９ｂの上面とのに僅かな隙間を残す位置まで延びている。
【００３８】
このような庇部１７ａを有する排水溝１９ａがラシャ３３の外側に設けられているので、レンズ鏡筒に降りかかった水滴は、先ず、庇部１７ａと堤部１９ｂとの隙間から排水溝１９ａに浸入するが、排水溝１９ａに浸入した水滴は、排水溝１９ａに沿って重力方向下方に流れ、下方の庇部１７ａと堤部１９ｂとの隙間から排水溝１９ａ外に流れ落ちる。つまり、カメラを正位置に構えた状態で水滴が降りかかると、水滴は排水溝１９ａを伝わって最下部からレンズ鏡筒外に落ちる。
【００３９】
なお、フォーカス環１９の前端部と回転繰出し環２７との間は、シーリング部材としてのラシャ３７によって防滴されている。ラシャ３７は外周面がフォーカス環１９の内周面に接着され、内周面が回転繰出し環２７に摺接自在に接触している。
【００４０】
図６は、後部のズーム操作環１５と第１固定環１１との間の防滴構造を示す拡大断面図である。後部のズーム操作環１５の後端部内周面と第１固定環１１の外周面との間に、シーリング部材であるラシャ３５が接着されている。ラシャ３５は、第１固定環１１の外周面に接着し、後部のズーム操作環１５の内周面には摺接自在に接触させてあるが、逆でもよい。
【００４１】
第１固定環１１の外周面には、ラシャ３５よりも後部のズーム操作環１５の鏡筒外方側、ここではラシャ３５の後端面から僅かに離反した位置に、堤部１１ｂ、１１ｃで規制された排水溝１１ａが形成されている。堤部１１ｂ、１１ｃ、つまり排水溝１１ａは第１固定環１１全周に亘って形成されている。この堤部１１ｂ、１１ｃは、前方の堤部１１ｂの方が高く形成されている。また、後方の堤部１１ｃは、第１固定環１１の外周面によって形成されている。
【００４２】
後部のズーム操作環１５の後端部には、排水溝１１ａを覆う庇部１５ａが形成されている。庇部１５ａは、前方の堤部１１ｂの外周面を越えて、排水溝１１ａを覆い、後方の堤部１１ｃとのに僅かな隙間を残す位置まで延びている。さらにこの庇部１５ａには、排水溝１１ａと対向する面が先端部に向かって排水溝１１ａの底との間隔又は隙間が広がる方向に傾斜したテーパ部１５ａ１が形成されている。
【００４３】
このような庇部１５ａを有する排水溝１１ａがラシャ３５よりも鏡筒外側に設けられているので、レンズ鏡筒に降りかかった水滴は、先ず、庇部１５ａと堤部１１ｃとの隙間から排水溝１１ａに浸入するが、排水溝１１ａに浸入した水滴は、排水溝１１ａに沿って重力方向下方に流れ、下方の庇部１５ａと堤部１１ｃとの隙間から排水溝１１ａ外に流れ落ちる。つまり、カメラを正位置に構えた状態で水滴が降りかかると、水滴は排水溝１１ａを伝わって最下部からレンズ鏡筒外に落ちる。ここで、排水溝１１ａは下方に従って浅くなり、かつ下方では庇部１５ａのテーパ部１５ａ１が排水溝１１ａ外に落下する方向に傾斜している（隙間が広がっている）ので、水滴はテーパ部１５ａ１に沿って排水溝１１ａ外に流れ出易くなり、排水能力が高くなる。
【００４４】
さらにこの排水溝１１ａは、レンズを正位置に置いた状態で、上部の方が深く、下部の方が浅くなるように形成されている（図７）。このように排水溝１１ａの深さを変化させることで、正位位置に構えた状態でレンズ鏡筒に降りかかった水滴は、上部の排水溝１１ａから浸入し、下部の排水溝１１ａからレンズ鏡筒外に抜け落ち易くなる。
【００４５】
以上の通り実施形態の防滴構造によれば、相対回転する鏡筒間をシールするシーリング部材であるラシャ３１、３３、３５よりも鏡筒外側位置に排水溝２９ａ、１９ａ、１１ａを設けたので、水滴は先ず排水溝２９ａ、１９ａ、１１ａに入り、排水溝２９ａ、１９ａ、１１ａに沿って流れて最下部からレンズ鏡筒外に落ちるので、シーリング部材のみによるよりも防滴防水効果が高くなる。
【００４６】
排水溝２９ａ、１９ａ、１１ａを覆う庇部２７ａ、１７ａ、１５ａを設けた防滴構造によれば、水滴は庇部２７ａ、１７ａ、１５ａに遮られて排水溝２９ａ、１９ａ、１１ａに入り難く、庇部２７ａ、１７ａ、１５ａの外面を伝わってレンズ鏡筒外に流れ落ちるので、さらに防滴防水効果が高くなる。
庇部は、排水溝を完全に覆う形状（庇部１７ａ）でも、排水溝をほぼ覆う形状（庇部２７ａ、１５ａ）のいずれでもよい。
庇部２７ａ、１５ａにテーパ部２７ａ１、１５ａ１を形成したが、他の庇部１７ａにも同様のテーパ部を設けることが好ましい。
【００４７】
図６に示したように、排水溝１９ａの深さを、正位置において上方ほど深く、下方ほど浅く形成した防滴構造によれば、排水溝１９ａに入った水滴が排水溝１９ａに沿って重力下方に流れると、下流領域では底が浅くなっているので容易に排水溝１９ａから溢れ、レンズ鏡筒外に滴下し、より防滴防水効果が高くなる。
【００４８】
他の実施形態では、各排水溝１２９ａ、１１９ａ、１１１ａの深さを異ならせてもよい。レンズ鏡筒の被写体側（レンズ先端側）とカメラボディ側（マウント側）とで異ならせせた一例の構造を、図８の（Ａ）、（Ｂ）、（Ｃ）に、図４、図５、図６と同様の縦断面図で示した。なお、同一の部材には同一の符号を付してある。この実施形態では、排水溝１２９ａ、１１９ａ、１１１ａの深さを、被写体側（レンズ鏡筒の先端側）の排水溝ほど深く、マウント側になるにつれて浅く形成してある。レンズ鏡筒の先端ほど水滴が浸入しやすくなるので、レンズ鏡筒の先端ほど排水溝を深く形成して防滴効果を高めたのである。
【００４９】
さらに他の実施形態では、排水溝の数を複数本とした。図９には、レンズ鏡筒先端側の排水溝２９ａを２本とした実施形態を示してある。この実施形態では、堤部２９ｂ、２９ｃの間に第３の堤部２９ｄを突設して、２本の排水溝２９ａ１、２９ａ２を形成してある。複数本の排水溝２９ａ１、２９ａ２を形成することで防滴効果がより高まる。排水溝の本数は３本以上としてもよい。
【００５０】
以上、本発明の防滴構造について２群ズームレンズ鏡筒に適用した実施形態を説明したが、本発明はこの実施形態に限定されず、他のレンズ鏡筒に適用可能である。
【符号の説明】
【００５１】
１１  第１固定環
１１ａ  排水溝
１１ｂ  堤部
１１ｃ  堤部
１２  マウント部
１３  第２固定環
１５  ズーム操作環
１５ａ  庇部
１５ａ１  テーパ部
１７  前部のズーム操作環
１７ａ  庇部
１９  フォーカス環
１９ａ  排水溝
１９ｂ  堤部
１９ｂ  堤部
２３  ２群支持枠
２５  直進環
２７  回転繰出し環
２７ａ  庇部
２７ａ１  テーパ部
２９  １群支持枠
２９ａ  排水溝
２９ｂ  堤部
２９ｃ  堤部
２９ｄ  堤部
３１  ラシャ(シーリング部材）
３３  ラシャ(シーリング部材）
３５  ラシャ(シーリング部材）
【図１】
2010197451.tif 000003
【図２】
2010197451.tif 000004
【図３】
2010197451.tif 000005
【図４】
2010197451.tif 000006
【図５】
2010197451.tif 000007
【図６】
2010197451.tif 000008
【図７】
2010197451.tif 000009
【図８】
2010197451.tif 000010
【図９】
2010197451.tif 000011
【手続補正書】
【提出日】平成22年2月24日(2010.2.24)
【手続補正１】
【補正対象書類名】明細書
【補正対象項目名】０００２
【補正方法】変更
【補正の内容】
【０００２】
レンズ鏡筒は一般的に、互いに同心をなし光軸に沿って相対移動可能あるいは光軸回りに相対回転可能な複数の環状部材を具備している。これら環状部材の一つをズーム操作環あるいはマニュアルフォーカス環とし、このズーム操作環あるいはマニュアルフォーカス環の手動による回転操作により他の環状部材を光軸に沿って進退させる場合に、隣り合う（径方向に重なり合う）環状部材間に意図的に摩擦抵抗を発生させることにより、ズーム操作環あるいはマニュアルフォーカス環の手動操作時に撮影者が適度な抵抗感を感じられるようにすることが従来より行われている。
このような抵抗感を出すための手段の一例として、一方の面全体に細かな毛が植毛された環状の合成皮革の他方の面を環状部材の外周面または内周面に固着し、合成皮革の一方の面（植毛面）を隣り合う他の環状部材の内周面または外周面に摺動可能に接触させることが行われていた。
【手続補正２】
【補正対象書類名】明細書
【補正対象項目名】００２２
【補正方法】変更
【補正の内容】
【００２２】
第１固定環１１の前端部には、第１固定環１１及び第２固定環１３と同心をなす筒状体であるズーム操作環１５、１７が光軸Ｏ回りに回転可能（光軸Ｏ方向のスライドは不能）に設けられている。ズーム操作環１５は、前端部に一体に回動するように連結されたズーム操作環１７を備えている。言い替えると、ズーム操作環１５、１７は前後に分割されていて、ズーム操作環１５の前部にズーム操作環１７が一体として回動するように連結されている。これらのズーム操作環１５、１７の外周面にグリップ環１６が固着されている。
【手続補正３】
【補正対象書類名】明細書
【補正対象項目名】００２７
【補正方法】変更
【補正の内容】
【００２７】
直進環２５とフォーカス環１９との間には、これらと同心をなす筒状体である回転繰出し環２７が配置されている。回転繰出し環２７は、詳細は説明しないが、直進環２５とカム機構により接続され、フォーカス環１９とは光軸Ｏ方向には進退自在に、かつ光軸Ｏ回りには一体回動するように接続されている。従ってカム環２１が回転すると回転繰出し環２７は、カム環２１との間のカム機構によって光軸Ｏに沿って進退動する直進環２５と一緒に、回転しないで進退動する。一方、フォーカス環１９が回転すると、回転繰出し環２７はフォーカス環１９と一体に回転しながら、直進環２５との間のカム機構によって光軸Ｏに沿って進退動する。
【手続補正４】
【補正対象書類名】明細書
【補正対象項目名】００３０
【補正方法】変更
【補正の内容】
【００３０】
なお、カム環２１が回動すると、カム環２１と２群支持枠２３との間のカム機構のリードにより、２群支持枠２３が第２レンズ群Ｌ２を保持して第２固定環１３の直進ガイド溝に沿って回転しないで光軸Ｏに沿って進退動すると共に、１群支持枠２９が第１レンズ群Ｌ１を保持して、直進環２５とカム環２１との間のカム機構により回転しないで進退動して、ズーミングされる（図３）。
【手続補正５】
【補正対象書類名】図面
【補正対象項目名】図２
【補正方法】変更
【補正の内容】
【図２】
2010197451.tif 000012
【手続補正６】
【補正対象書類名】図面
【補正対象項目名】図３
【補正方法】変更
【補正の内容】
【図３】
2010197451.tif 000013
【手続補正７】
【補正対象書類名】図面
【補正対象項目名】図４
【補正方法】変更
【補正の内容】
【図４】
2010197451.tif 000014
【手続補正８】
【補正対象書類名】図面
【補正対象項目名】図５
【補正方法】変更
【補正の内容】
【図５】
2010197451.tif 000015
【手続補正９】
【補正対象書類名】図面
【補正対象項目名】図６
【補正方法】変更
【補正の内容】
【図６】
2010197451.tif 000016
【手続補正１０】
【補正対象書類名】図面
【補正対象項目名】図８
【補正方法】変更
【補正の内容】
【図８】
2010197451.tif 000017
【手続補正１１】
【補正対象書類名】図面
【補正対象項目名】図９
【補正方法】変更
【補正の内容】
【図９】
2010197451.tif 000018